(57)【特許請求の範囲】
【請求項１】
液体を詰入する容器本体の上部開口部に液体を注出可能不能とする液体注出装置が設けられ、この液体注出装置及び前記容器本体の上部を隠蔽するコップ状の蓋体が前記容器本体の上部に被嵌状態で着脱自在に設けられている液体容器であって、液体注出装置の上面に押圧降下によって液体注出装置が液体注出可能となる押圧降下体を設け、この押圧降下体の上面を押圧部に設定し、液体注出装置の側面に押圧動作によって液体注出装置が液体注出不能となる押圧動作体を突出状態に設け、前記押圧降下体の下方に降下位置の押圧降下体を上昇方向に弾圧付勢する弾性体を設け、液体注出可能な状態において前記押圧動作体を押圧した際、この押圧動作体の押圧動作によって前記弾性体が降下位置の押圧降下体を強制的に押圧上昇せしめて液体注出不能になるように構成し、前記押圧降下体の前記押圧部の下方に係止体を上下動不能に設け、この係止体が係止する係止部を前記押圧降下体の上下複数箇所に設け、押圧降下体を降下させた際、前記係止体が押圧降下体の上方の係止部に係止し、前記押圧動作体を押圧した際、前記押圧降下体の上方の係止部と係止体との係止が解除され前記弾性体の押圧作用により前記押圧降下体が強制的に上昇されて液体注出不能になるように構成したことを特徴とする液体容器。
【請求項２】
前記係止体として前記押圧降下体若しくは前記押圧動作体の押圧により弾圧変形する弾圧変形体を採用し、この弾圧変形体の弾圧変形により、前記押圧降下体の係止部と係止体との係止が解除されるように構成したことを特徴とする請求項１記載の液体容器。
【請求項３】
前記係止体として、前記押圧動作体の押圧により左右巾が縮小して前記係止部と係止体との係止が解除され、この押圧動作体の押圧の解除により、前記縮小した左右巾が元の左右巾に復元して前記係止部と係止体とが係止する係止体を採用し、この係止体には前記押圧動作体の押圧が解除された際、縮小した係止体の左右巾を元の左右巾に強制的に復元する弾性体を設けたことを特徴する請求項２記載に液体容器。
【請求項４】
前記弾性体として杆体にコイル状に設けた発条を採用し、この杆体の下部に前記液体注出装置の液体注出経路を開閉する開閉弁を設け、前記押圧降下体が降下した際、前記開閉弁が降下して前記液体注出経路を開き、前記押圧降下体が上昇した際、前記開閉弁が上昇して前記液体注出経路を閉じるように構成したことを特徴とする請求項１〜３のいずれか１項に記載の液体容器。
【発明の詳細な説明】
【０００１】
【発明の属する技術分野】
本発明は、魔法瓶等の液体容器に関するものである。
【０００２】
【従来の技術及び発明が解決しようとする課題】
液体を詰入する容器本体の上部開口部に液体を注出可能不能とする液体注出装置を設け、この液体注出装置及び前記容器本体の上部を隠蔽するコップ状の蓋体を設け、この蓋体を前記容器本体の上部に被嵌し、この蓋体を回動操作して容器本体の上部に螺着する魔法瓶等の液体容器として様々なものが提案されている。
【０００３】
特に、液体注出装置に関しては、液体を注出可能としたり注出不能としたりする機構や液体の漏洩を防止する機構をどのようにするか、様々な改良案が提案されている。
【０００４】
例えば、実開昭６１−６７１１１号公報に開示されている液体容器では、液体注出装置の上面に、液体を注出可能とする弁を開く為の押しボタンと，この弁を閉じる為の押しボタンとを設けた構成であり、弁を開く為の押しボタンを押圧降下させるとこの押圧ボタンの降下量に比例して弁を閉じる為の押しボタンが上昇突出し、弁を閉じる構成を採用している（以下、第一従来例という。）。
【０００５】
また、例えば、実開平２−４０３４７号公報に開示されている液体容器では、液体注出装置の側面に押圧操作により没入する弁を閉じる為の押しボタンを突設し、この弁を閉じる為の押しボタンの没入量に比例して弁を閉じる構成を採用している（以下、第二従来例という。）。
【０００６】
しかし、これら第一従来例や第二従来例は、いずれも弁を閉じる為の押しボタンの押圧移動量によって弁を閉じる構成である為、この押圧操作を弁を閉じるまで確実に押圧しなければならず、押圧操作が厄介である。
【０００７】
しかも、もし弁を閉じる為の押しボタンの押圧操作が不十分であると、弁が閉じられず容器本体内の液体が漏洩してしまうおそれも発生してしまう。
【０００８】
本発明は、上記問題点を解決するもので、わずかの押圧量でも弁が確実に閉じられて液体抽出不能となる実用性，操作性，液体漏れ防止性に秀れた液体容器を提供することを目的としている。
【０００９】
【課題を解決するための手段】
添付図面を参照して本発明の要旨を説明する。
【００１０】
液体を詰入する容器本体１の上部開口部２に液体を注出可能不能とする液体注出装置３が設けられ、この液体注出装置３及び前記容器本体１の上部を隠蔽するコップ状の蓋体４が前記容器本体１の上部に被嵌状態で着脱自在に設けられている液体容器であって、液体注出装置３の上面に押圧降下によって液体注出装置３が液体注出可能となる押圧降下体５を設け、この押圧降下体５の上面を押圧部６に設定し、液体注出装置３の側面に押圧動作によって液体注出装置３が液体注出不能となる押圧動作体７を突出状態に設け、前記押圧降下体５の下方に降下位置の押圧降下体５を上昇方向に弾圧付勢する弾性体８を設け、液体注出可能な状態において前記押圧動作体７を押圧した際、この押圧動作体７の押圧動作によって前記弾性体８が降下位置の押圧降下体５を強制的に押圧上昇せしめて液体注出不能になるように構成し、前記押圧降下体５の前記押圧部６の下方に係止体９を上下動不能に設け、この係止体９が係止する係止部10を前記押圧降下体５の上下複数箇所に設け、押圧降下体５を降下させた際、前記係止体９が押圧降下体５の上方の係止部10に係止し、前記押圧動作体７を押圧した際、前記押圧降下体５の上方の係止部10と係止体９との係止が解除され前記弾性体８の押圧作用により前記押圧降下体５が強制的に上昇されて液体注出不能になるように構成したことを特徴とする液体容器に係るものである。
【００１１】
また、前記係止体９として前記押圧降下体５若しくは前記押圧動作体７の押圧により弾圧変形する弾圧変形体９を採用し、この弾圧変形体９の弾圧変形により、前記押圧降下体５の係止部10と係止体９との係止が解除されるように構成したことを特徴とする請求項１記載の液体容器に係るものである。
【００１２】
また、前記係止体９として、前記押圧動作体７の押圧により左右巾が縮小して前記係止部10と係止体９との係止が解除され、この押圧動作体７の押圧の解除により、前記縮小した左右巾が元の左右巾に復元して前記係止部10と係止体９とが係止する係止体９を採用し、この係止体９には前記押圧動作体７の押圧が解除された際、縮小した係止体９の左右巾を元の左右巾に強制的に復元する弾性体16を設けたことを特徴する請求項２記載に液体容器に係るものである。
【００１３】
また、前記弾性体８として杆体11にコイル状に設けた発条８を採用し、この杆体11の下部に前記液体注出装置３の液体注出経路14を開閉する開閉弁13を設け、前記押圧降下体５が降下した際、前記開閉弁13が降下して前記液体注出経路14を開き、前記押圧降下体５が上昇した際、前記開閉弁13が上昇して前記液体注出経路14を閉じるように構成したことを特徴とする請求項１〜３のいずれか１項に記載の液体容器に係るものである。
【００１４】
【発明の実施の形態】
好適と考える本発明の実施の形態（発明をどのように実施するか）を、図面に基づいてその作用効果を示して説明する。
【００１５】
液体抽出装置３が液体注出可能な状態のとき、即ち、押圧部６が押圧されて押圧降下体５が降下位置に位置しているとき、押圧動作体７を手等で押圧すると前記降下位置に位置している押圧降下体５を弾性体８が強制的に押圧上昇せしめる為、押圧動作体７の押圧量がわずかであっても押圧降下体５が確実に上昇し、液体抽出装置３が確実に液体抽出不能な状態となる。
【００１６】
また、液体抽出装置３が液体注出不能な状態においては、押圧部６を押圧し、押圧降下体５を降下させることで前記液体抽出装置３が液体注出可能な状態となる。
【００１７】
【実施例】
本発明の具体的な実施例について図面に基づいて説明する。
【００１８】
本実施例は、液体を詰入する容器本体１の上部開口部２に液体を注出可能不能とする液体注出装置３が設けられ、この液体注出装置３及び前記容器本体１の上部を隠蔽するコップ状の蓋体４が前記容器本体１の上部に被嵌状態で着脱自在に設けられている液体容器であって、液体注出装置３の上面に押圧降下によって液体注出装置３が液体注出可能となる押圧降下体５を設け、この押圧降下体５の上面を押圧部６に設定し、液体注出装置３の側面に押圧動作によって液体注出装置３が液体注出不能となる押圧動作体７を突出状態に設け、前記押圧降下体５の下方に降下位置の押圧降下体５を上昇方向に弾圧付勢する弾性体８を設け、液体注出可能な状態において前記押圧動作体７を押圧した際、この押圧動作体７の押圧動作によって前記弾性体８が降下位置の押圧降下体５を強制的に押圧上昇せしめて液体注出不能になるように構成した液体容器に係るものである。
【００１９】
また、前記押圧降下体５の前記押圧部６の下方に係止体９を上下動不能に設け、この係止体９が係止する係止部10を前記押圧降下体５の上下複数箇所（図面では２箇所）に設け、押圧降下体５を降下させた際、前記係止体９が押圧降下体５の上方の係止部10に係止し、前記押圧動作体７を押圧した際、前記押圧降下体５の上方の係止部10と係止体９との係止が解除され前記弾性体８の押圧作用により前記押圧降下体５が強制的に上昇されて液体注出不能になるように構成している。
【００２０】
また、係止体９としては、前記押圧降下体５及び前記押圧動作体７と当接し、この押圧降下体５や押圧動作体７の押圧により弾圧変形する弾圧変形体９を採用している。
【００２１】
また、この係止体９としては、前記押圧動作体７の押圧により左右巾が縮小して前記係止部10と係止体９との係止が解除され、この押圧動作体７の押圧の解除により、前記縮小した左右巾が元の左右巾に復元して前記係止部10と係止体９とが係止する構成の係止体９を採用している。
【００２２】
また、係止体９には、前記押圧動作体７の押圧が解除された際、縮小した係止体９の左右巾を元の左右巾に強制的に復元する弾性体16を設けている。
【００２３】
また、係止体９の側部に凸部17を設け、この凸部17を前記液体注出装置３に設けた嵌挿孔18に嵌挿することで、係止体９を液体注出装置３に対して上下動不能となるように設けている。尚、この凸部17と前記押圧動作体７とが当接し、押圧動作体７の押圧によって係止体９が弾圧変形するように構成している。
【００２４】
弾性体８としては、杆体11にコイル状に設けた発条８を採用している。また、この杆体11の上部に前記弾性体８の弾圧力により前記押圧降下体５の下部を押圧当接し得る当接部12を設け、この杆体11の下部に前記容器本体１の液体注出経路14を開閉する開閉弁13を設け、前記押圧降下体５が降下した際、前記開閉弁13が降下して前記容器本体１の液体注出経路14を開き、前記押圧降下体５が上昇した際、前記開閉弁13が上昇して前記容器本体１の液体注出経路14を閉じるように構成している。
【００２５】
押圧動作体７は、先端部は液体注出装置３の側面から水平方向に突出し、基端部は液体注出装置３内において垂下状態に設けられている。この押圧動作体７の基端部は前記係止体９の凸部17と当接しており、押圧動作体７を押圧動作した際、係止体９を弾圧変形させる。
【００２６】
図中、符号15は容器本体１の金属製の真空断熱二重容器部である。
【００２７】
以下、本実施例の作用について詳述する。
【００２８】
液体注出装置３から液体を注出不能な状態において、押圧降下体５は上昇位置にあり、係止体９は下方の係止部10に係止している（図１，２参照）。
【００２９】
押圧部６を押圧すると、押圧降下体５が係止体９を弾性変形して係止体９の左右巾が縮小し、前記係止体９と係止部10との係止が解除され、押圧降下体５の降下が可能となる。
【００３０】
同時に押圧降下体５が降下移動を開始し、この押圧降下体５と当接部12を介して当接している杆体11も降下移動を開始し、開閉弁13も降下移動を開始して容器本体１の液体注出経路14が開き、液体の注出が可能な状態となる。
【００３１】
更に押圧部６を押圧すると、押圧降下体５の降下により係止体９が上方の係止部10に係止可能な位置に達し、係止体９自身の弾圧変形作用と弾性体16の弾性作用とにより、係止体９の左右巾が元の左右巾に復元して係止体９が前記上方の係止部10に係止し、押圧部６の押圧を解除しても押圧降下体５が上昇しない状態となる（図３参照）。
【００３２】
この図３の状態で容器本体１内の液体を注出する。
【００３３】
この図３の状態から、容器本体１内の液体の注出を不能とする為には、押圧動作体７の先端部を少し押圧する。この押圧動作体７の押圧は、例えば、手での押圧や容器本体１の上部に蓋体４を被嵌した際の蓋体４と押圧動作体７との押圧当接によって行う。
【００３４】
押圧動作体７の先端部を少し押圧すると、押圧動作体７の基端部が係止体９を押圧して係止体９を弾圧変形させ、係止体９の左右巾が縮小されて前記係止体９と上方の係止部10との係止が解除される。
【００３５】
同時に、前記弾性体８の弾性作用により、杆体11の上部の当接部13が押圧降下体５を強制的に押圧上昇させ（図４参照）、且つ杆体11の下部の開閉弁12も強制的に上昇移動させられて容器本体１の液体注出経路14が閉じられ、液体注出が不能な状態となる。
【００３６】
同時に、押圧降下体５の上昇により係止体９が下方の係止部10に係止可能な位置に達し、係止体９の弾圧変形作用及び弾性体16の弾性作用により係止体９の左右巾が元の左右巾に復元して係止体９が前記下方の係止部10に係止し、押圧降下体５が上昇しない状態となる（図５参照）。
【００３７】
本実施例は上述のように構成したから、液体注出装置３が液体注出可能な状態において、押圧動作体７を少し押圧するだけで弾性体８の弾性作用により押圧降下体５が強制的に上昇移動され、液体注出装置３が確実に液体注出不能な状態となる実用性，操作性，液体の漏れ防止性に秀れた液体容器となる。
【００３８】
従って、例えば、容器本体１の上部に蓋体４を被嵌する際、蓋体４で押圧動作体７を少し押圧するだけでも押圧降下体５が上昇移動し、液体注出装置３が簡単且つ確実に液体注出不能な状態となる。
【００３９】
また、係止体９と上下の係止部10との係止により、液体の注出可能状態が維持されたり液体の注出不能状態が維持されたりすることになるから、簡単な係止構造によって液体注出装置３を所望の状態とすることができる実用性，生産性に秀れた液体容器となる。
【００４０】
また、係止体９として弾圧変形体９を採用したから、押圧部６の押圧や押圧動作体７の押圧により簡単に係止体９が弾圧変形して前記係止体９と上下の係止部10との係止，係止解除が行われることになる実用性に秀れた液体容器となる。
【００４１】
また、係止体９の弾圧変形の際、係止体９の縮小した左右巾の復元が弾性体16によってより一層確実に行われることになり、係止体９が係止している押圧降下体５の上昇位置及び降下位置での係止がより一層確実に行われることになるより一層実用性に秀れた液体容器となる。
【００４２】
また、押圧降下体５の上下移動とともに開閉弁13が上下移動して容器本体１の液体注出経路14が開閉するから、押圧降下体５の状態によって容器本体１の液体注出経路14の開閉状態を確知することができる実用性に秀れた液体容器となる。
【００４３】
【発明の効果】
本発明は上述のように構成したから、押圧動作体をわずかに押圧するだけでも弾性体８の弾性作用により確実に液体注出装置が液体注出不能な状態となる実用性，操作性，液体漏れ防止性に秀れた液体容器となる。
【００４４】
また、本発明においては、係止体と上下複数箇所に設けた係止部との係止によって液体注出装置が液体注出可能な状態を維持されたり液体注出不能な状態を維持されることになり、しかも、係止体と上方の係止部とが係止されている際に押圧動作体が押圧されると、押圧動作体の押圧によって前記係止体と上方の係止部との係止が解除され降下位置の押圧動作体が弾性体の押圧作用によって上昇するから、簡単な係脱機構によって確実に液体注出装置が液体注出不能な状態となる、より一層実用性に秀れた液体容器となる。
【００４５】
請求項２記載の発明においては、係止体として押圧降下体若しくは押圧動作体の押圧により弾圧変形する弾圧変形体を採用し、この弾圧変形体の弾圧変形により、係止体と係止部との係止が解除されるように構成したから、係止体と係止部との係脱機構を簡単に構成することができる、より一層実用性に秀れた液体容器となる。
【００４６】
請求項３記載の発明においては、係止体と係止部との係止を解除する為に左右巾を縮小した係止体が元の左右巾になる際、弾性体の弾性作用によって強制的に元の左右巾に復元されるから、係止体と係止部との再係止がより一層確実に行われて押圧降下体の上昇位置若しくは降下位置での係止がより一層確実に行われることになる、より一層実用性に秀れた液体容器となる。
【００４７】
請求項４記載の発明においては、押圧降下体の上下移動とともに開閉弁が上下移動して容器本体の液体注出経路が開閉するから、押圧降下体の状態によって容器本体の液体注出経路の開閉状態を確知することができ、しかも、弾性体の弾性作用によって液体注出経路が確実に開閉されることになる実用性に秀れた液体容器となる。
【図面の簡単な説明】
【図１】  本実施例の説明斜視図である。
【図２】  本実施例の説明側面図である。
【図３】  本実施例の説明側面図である。
【図４】  本実施例の説明側面図である。
【図５】  本実施例の説明側面図である。
【符号の説明】
１  容器本体
２  上部開口部
３  液体注出装置
４  蓋体
５  押圧降下体
６  押圧部
７  押圧動作体
８  弾性体，発条
９  係止体，弾圧変形体
10  係止部
11  杆体
13  開閉弁
14  液体注出経路
16  弾性体
【図１】
0003641385.tif 000002
【図２】
0003641385.tif 000003
【図３】
0003641385.tif 000004
【図４】
0003641385.tif 000005
【図５】
0003641385.tif 000006